(57)【特許請求の範囲】
【請求項１】
試験液中の細菌の細胞内抗原を検出するためのイムノクロマトグラフィー試験装置であって
該試験装置は、
（１）試験液滴下部材と、
（２）標識された第１の抗細胞内抗原抗体を保持した標識化抗体保持部材と、
（３）展開用部材と、
（４）被検出物質に対する第２の抗細胞内抗原抗体を固定化した抗体固定化部材と
を少なくとも備え；
各部材はいずれも試験液の流れ方向に長尺な略シート状であり、かつ各部材の一部が隣接する部材の一部と直接的に重なり合うように部材（１）、（２）、（３）、（４）の順に配置しており；
前記部材（２）と部材（４）は直接的にも間接的にも重なり合わない構造であって、
前記部材（３）の、部材（２）及び部材（４）との重なり合わない部分の平均距離Ｌ１が、２ｍｍ以上、１２ｍｍ以下であり；
前記部材（２）と前記部材（３）が直接的に重なり合う距離Ｌ２とＬ１との比（Ｌ２／Ｌ１）が、０．１６≦Ｌ２／Ｌ１≦１であり；
前記部材（３）と前記部材（４）が直接的に重なり合う距離Ｌ３とＬ１との比（Ｌ３／Ｌ１）が、０．１６≦Ｌ３／Ｌ１≦１であり；
前記部材（３）の厚みＴ１と部材（３）の上記Ｌ１との比（Ｔ１／Ｌ１）が０．０２≦Ｔ１／Ｌ１≦０．１５０であり；かつ
部材（３）の目付が４９ｇ／ｍ2以上、７５ｇ／ｍ2以下のガラス繊維素材である、
イムノクロマトグラフィー試験装置。
【請求項２】
前記Ｌ１が８ｍｍ以上、１２ｍｍ以下である、請求項１に記載のイムノクロマトグラフィー試験装置。
【請求項３】
前記部材（４）抗体固定化部材のキャピラリーフロータイムが、１００秒／４ｃｍ以上、１４０秒／４ｃｍ以下である、請求項１又は２に記載のイムノクロマトグラフィー試験装置。
【請求項４】
前記第１の抗体の標識に平均粒子径７５ｎｍ以上、１１０ｎｍ以下の金コロイドを用いる請求項１〜３のいずれかに記載のイムノクロマトグラフィー試験装置。
【請求項５】
前記細菌が、肺炎球菌（ストレプトコッカス・ニューモニエ）、クラミジア・ニューモニエ、レジオネラ・ニューモフィラ、ヘモフィルス・インフルエンザ、ボルデテラ・ペルトゥシス、マイコプラズマ・ニューモニエのいずれかである、請求項１〜４のいずれか１項に記載のイムノクロマトグラフィー試験装置。
【請求項６】
前記細胞内抗原が、リボソームタンパク質Ｌ７／Ｌ１２抗原である、請求項１〜５のいずれか１項に記載のイムノクロマトグラフィー試験装置。
【請求項７】
請求項１〜６のいずれか１項に記載のイムノクロマトグラフィー試験装置を含む、細菌の検出のためのキット。
【請求項８】
緩衝液及び界面活性剤を含む希釈液又は抽出液、並びに検体を採取するための用具をさらに含む、請求項７に記載のキット。
【発明の詳細な説明】
【技術分野】
【０００１】
本発明は、イムノクロマトグラフィー試験装置に関する。
【背景技術】
【０００２】
抗原−抗体等の特異的反応を利用して、血液や尿等の生体試料中の特定の被検出物質を迅速・簡便に検出できるイムノクロマトグラフ法を用いた簡易測定装置（イムノクロマトグラフィー試験装置）が普及している。
【０００３】
イムノクロマトグラフ法による被検出物質の検出は、例えば特許文献１では、高感度かつ迅速に判定結果を得るために標識抗体の溶出速度を高めることを目的として、標識化抗体保持部材と抗体固定化部材との間に展開用部材を配した形態を開示している。特許文献２では、バックグランドの上昇を抑えテストラインの視認性の向上を目的として、標識化抗体保持部材と抗体固定化部材の間に空間を設けて、それらの橋渡しをする部材として展開パッドを配置した形態を開示している。特許文献３では、高感度かつ迅速な判定結果を得るために、標識化抗体が標識化抗体保持部材に滞留するのを抑制する滞留抑制手段と、標識化物質が展開方向下流の領域から、隣接する展開方向上流の領域へ逆流するのを抑制する逆流抑制手段を有するイムノクロマトグラフィー試験装置を開示している。
【先行技術文献】
【特許文献】
【０００４】
【特許文献１】特開２００６−１９４６８７（シスメックス）
【特許文献２】特開２０１３−２０５３３６（三菱化学メディエンス）
【特許文献３】特開２０１４−１７８１５２（デンカ生研）
【発明の開示】
【発明が解決しようとする課題】
【０００５】
しかしながらいずれの技術も、偽陽性の問題が生じており、それを改善する手段は開示されていない。当然に、高い検出シグナルと偽陽性の問題を同時に解決することもできていない。
本発明は、偽陽性を抑制しながら高い検出シグナルを得るイムノクロマトグラフィー試験装置の提供を目的とする。
【課題を解決するための手段】
【０００６】
本発明者は、上記課題を解決するために鋭意検討した結果、高い検出シグナルを得ながら偽陽性の問題を改善するために、試験液中に含まれる抗原と装置に含まれる抗体との間の抗原抗体反応に要する反応時間や試験液の流れ性に着目した。そして、標識化抗体保持部材と抗体固定化部材との間に展開用部材を配置し、また抗体が固定化された検出部における流れ性を適切にすることで、高い検出シグナルを得ながら、偽陽性を抑制することを達成し、本発明を完成した。
【０００７】
すなわち、本発明は、以下の通りである。
［１］  試験液中の細菌の細胞内抗原を検出するためのイムノクロマトグラフィー試験装置であって
該試験装置は、
（１）試験液滴下部材と、
（２）標識された第１の抗細胞内抗原抗体を保持した標識化抗体保持部材と、
（３）展開用部材と、
（４）被検出物質に対する第２の抗細胞内抗原抗体を固定化した抗体固定化部材と
を少なくとも備え；
各部材はいずれも試験液の流れ方向に長尺な略シート状であり、かつ各部材の一部が隣接する部材の一部と直接的に重なり合うように部材（１）、（２）、（３）、（４）の順に配置しており；
前記部材（２）と部材（４）は直接的にも間接的にも重なり合わない構造であって、
前記部材（３）の、部材（２）及び部材（４）との重なり合わない部分の平均距離Ｌ１が、２ｍｍ以上、１２ｍｍ以下であり；
前記部材（２）と前記部材（３）が直接的に重なり合う距離Ｌ２とＬ１との比（Ｌ２／Ｌ１）が、０．１６≦Ｌ２／Ｌ１≦１であり；
前記部材（３）と前記部材（４）が直接的に重なり合う距離Ｌ３とＬ１との比（Ｌ３／Ｌ１）が、０．１６≦Ｌ３／Ｌ１≦１であり；
前記部材（３）の厚みＴ１と部材（３）の上記Ｌ１との比（Ｔ１／Ｌ１）が０．０２≦Ｔ１／Ｌ１≦０．２であり；かつ
部材（３）の目付が４９ｇ／ｍ2以上、７５ｇ／ｍ2以下のガラス繊維素材である、
イムノクロマトグラフィー試験装置。
［２］  前記Ｌ１が８ｍｍ以上、１２ｍｍ以下である、１に記載のイムノクロマトグラフィー試験装置。
［３］  前記部材（４）抗体固定化部材のキャピラリーフロータイムが、１００秒／４ｃｍ以上、１４０秒／４ｃｍ以下である、１又は２に記載のイムノクロマトグラフィー試験装置。
［４］  前記第１の抗体の標識に平均粒子径７５ｎｍ以上、１１０ｎｍ以下の金コロイドを用いる１〜３のいずれかに記載のイムノクロマトグラフィー試験装置。
［５］  前記細菌が、肺炎球菌（ストレプトコッカス・ニューモニエ）、クラミジア・ニューモニエ、レジオネラ・ニューモフィラ、ヘモフィルス・インフルエンザ、ボルデテラ・ペルトゥシス、マイコプラズマ・ニューモニエのいずれかである、１〜４のいずれか１項に記載のイムノクロマトグラフィー試験装置。
［６］  前記細胞内抗原が、リボソームタンパク質Ｌ７／Ｌ１２抗原である、１〜５のいずれか１項に記載のイムノクロマトグラフィー試験装置。
［７］  １〜６のいずれか１項に記載のイムノクロマトグラフィー試験装置を含む、細菌の検出のためのキット。
［８］  緩衝液及び界面活性剤を含む抽出液又は希釈液、並びに検体を採取するための用具をさらに含む、７に記載のキット。
【発明の効果】
【０００８】
本発明によれば、イムノクロマトグラフィー試験において、高い検出シグナルを得ながら、偽陽性を抑制することが可能となり、高い検出感度でもって結果を得ることができる。
【図面の簡単な説明】
【０００９】
【図１】イムノクロマトグラフィー試験装置の断面図。なお、図において、試験液滴下部材、標識化抗体保持部材、展開用部材の一部が基材上から離れて空中に浮いているかのように記載されているが、これは図示の簡略化のためであり、曲げに対して柔軟な形をとる構造体である場合は、基材上に接着する。図２においても同じ。
【図２】本発明のイムノクロマトグラフィー試験装置の例の断面図。
【発明を実施するための形態】
【００１０】
以下、本発明の実施形態を図面を用いて説明する。図面は、説明の便宜のために用いられるものであり、本発明の範囲は、図面に示す実施形態に限定されない。なお、以下の説明中「長さ」との表記は、イムノクロマトグラフィー試験装置の長軸方向に沿った距離を意味し、「幅」とはイムノクロマトグラフィー試験装置の短軸方向に沿った距離を意味する。
【００１１】
図１は、先行技術のイムノクロマトグラフィーの断面図である。図２は、本発明のイムノクロマトグラフィー試験装置の例の断面図である。以下図２に基づいて説明する。
【００１２】
このイムノクロマトグラフィー試験装置は、基材６上に、試験液滴下部材１と、標識された被検出物質に対する第１の抗体を保持した標識化抗体保持部材２と、被検出物質に対する第２の抗体を固定化した抗体固定化部材４と、吸収部材５を備える。標識化抗体保持部材２には、着色粒子で標識された抗体が保持されており、この抗体は、被検出物質である抗原と結合して複合体を形成する。抗体固定化部材４は、ライン状の捕捉部位７を備え、この部位には、抗原と結合する抗体が固定化されている。
【００１３】
次に、この装置によるイムノクロマトグラフ法による被検出物質の検出について説明する。まず、体液等の検体を展開溶媒に希釈して調製した試験液を試験液滴下部材１に滴下すると、この試験液は、毛管現象により、標識化抗体保持部材２に移動する。標識化抗体保持部材２では、着色粒子で標識された抗体が試験液に溶出する。試験液中に被検出物質である抗原が含まれる場合は、抗原抗体反応により、この抗原と上記抗体とが結合して複合体が形成される。次に、試験液は、毛管現象により、抗体固定化部材４の捕捉部位７に移動する。捕捉部位７では、抗原抗体反応により、上記抗原が、捕捉部位７に固定化されている抗体に捕捉される。上記抗原は、着色粒子で標識された抗体と複合体を形成しているので、捕捉部位７には、着色粒子の色がライン状に現れる。この有色のラインを目視することにより、検体中の被検出物質の存在の有無を確認する。
【００１４】
［細菌、抗原（被検出物質）、抗体］
本発明では、被検出物質に対する抗体を用いる。
本発明で測定される被検出物質は、イムノクロマトグラフ法で測定できる物質であればいずれでも可能であるが、特に細菌の成分又は細菌が分泌する物質であると本発明の効果を発現することが可能である。
【００１５】
検出の対象となる細菌は、特に限定されないが、本発明は肺炎球菌（ストレプトコッカス・ニューモニエ）、クラミジア・ニューモニエ、レジオネラ・ニューモフィラ、ヘモフィルス・インフルエンザ、ボルデテラ・ペルトゥシス、及びマイコプラズマ・ニューモニエに対して優れた効果を奏しうる。特に肺炎球菌が顕著な効果を奏する。
【００１６】
また検出対象となる、細菌由来の被検出成分も特に限定されないが、例えば細胞の成分とすることができ、好ましくは細胞内抗原であることが好ましい。細胞内抗原としては、リボソームタンパク質Ｌ７／Ｌ１２抗原が好ましい。肺炎球菌のＬ７／Ｌ１２リボソームリタンパク質の場合に顕著な効果を示すことができる。Ｌ７／Ｌ１２リボソームタンパク質は、細胞内に多コピー存在するために検出感度が高い。
【００１７】
このような被検出物質に対する抗体は、後の実施例で示すように、以下に記載の公知の方法により、細菌感染症の原因となる特定の細菌を他の細菌と種又は属で識別可能な抗体を実際に取得可能である。
上記の抗体は、国際公開第００／０６６０３号パンフレットに記載の方法で作製することができる。細菌リボソームタンパク質Ｌ７／Ｌ１２を抗原とする場合は、細菌リボソームタンパク質Ｌ７／Ｌ１２の全長タンパク質あるいはその部分ペプチドを抗原として用いて作製することができるが、全長タンパク質であることが好ましい。この部分ペプチドあるいは全長タンパク質をそのまま、又はキャリアタンパク質と架橋した後必要に応じてアジュバントとともに動物へ接種せしめ、その血清を回収することでＲｉｂｏｓｏｍａｌ  Ｐｒｏｔｅｉｎ  Ｌ７／Ｌ１２タンパク質を認識する抗体（ポリクローナル抗体）を含む抗血清を得ることができる。また抗血清より抗体を精製して使用することもできる。接種する動物としてはヒツジ、ウマ、ヤギ、ウサギ、マウス、ラット等であり、特にポリクローナル抗体作製にはヒツジ、ウサギ等が好ましい。また、抗体としてはハイブリドーマ細胞を作製する公知の方法により取得したモノクローナル抗体を適用することがより好ましいが、この場合はマウスが好ましい。当該モノクローナル抗体として、細菌感染症の原因となる特定の細菌のリボソームタンパク質Ｌ７／Ｌ１２と反応し、前記特定の細菌以外の細菌のリボソームタンパク質Ｌ７／Ｌ１２とは反応しないモノクローナル抗体をスクリーニングすることにより、当該細菌による感染症にかかっているかどうかの診断に役立てることが可能となる。
また、該抗体は、酵素処理あるいは化学処理により、Ｆ（ａｂ’）２、Ｆａｂ’、或いはＦａｂ断片として使用してもよい。
【００１８】
［イムノクロマトグラフィー試験装置］
本発明のイムノクロマトグラフィー試験装置は、
（１）試験液滴下部材と、
（２）標識された第１の抗細胞内抗原抗体を保持した標識化抗体保持部材と、
（３）展開用部材と、
（４）被検出物質に対する第２の抗細胞内抗原抗体を固定化した抗体固定化部材と
を少なくとも備え、
（５）吸収部材
を備えていてもよい。
【００１９】
（１）試験液滴下部材について説明する。
試験液滴下部材は、装置に滴下された試験液を吸収し、毛管現象で標識化抗体保持部材への流れ性を確保する役割を持ち、使用する材料は、イムノクロマトグラフ法を行える物であれば特に限定されないが、好ましくは、レーヨンやキュプラ等の再生セルロースもしくはセルロール誘導体を原料に用いた繊維マトリックス、濾紙、ガラス繊維、スポンジ、綿等である。より好ましくはキュプラである。
【００２０】
試験液滴下部材の体積は、小さすぎると試験液を受けきれず、試験装置外への漏れや装置内部での意図しない液の短絡を招き、大きすぎると試験液を保持しすぎてしまい、試験の迅速性を損なう。この観点から、長さは、８ｍｍ以上であることが好ましく、１０ｍｍ以上であることがより好ましく、１２ｍｍ以上であることがさらに好ましい。また長さは、２８ｍｍ以下であることが好ましく、２４ｍｍ以下であることがより好ましく、２０ｍｍ以下であることがさらに好ましい。幅は、長さがいずれの場合であっても２ｍｍ以上であることが好ましく、３ｍｍ以上であることがより好ましく、４ｍｍ以上であることがさらに好ましい。また幅は、１０ｍｍ以下であることが好ましく、８ｍｍ以下であることがさらに好ましく、６ｍｍ以下であることがさらに好ましい。厚みは、長さ及び幅がいずれの場合であっても、０．０５ｍｍ以上であることが好ましく、０．１０ｍｍ以上であることがより好ましく、０．２０ｍｍ以上であることがさらに好ましい。また厚みは、２．００ｍｍ以下であることが好ましく、１．００ｍｍ以下であることがより好ましく、０．８０ｍｍ以下であることがより好ましい。
【００２１】
（２）標識された第１の抗体を保持した標識化抗体保持部材について説明する。
標識化抗体保持部材は、その内部に標識された抗体を乾燥状態で保持し、イムノクロマトグラフィー試験においては、試験液を毛管現象により移動させながら、標識化抗体を試験液中に溶出させる役割を持つ。
【００２２】
つづいて標識及び標識化について説明する。
（標識）
本発明において、検出可能な信号を得るために、標識化抗体保持部材に保持される第１の抗体は標識されている。本発明で用いる標識としては、着色粒子、酵素、ラジオアイソトープ等が挙げられるが、特殊な設備不要で目視によって検出可能な着色粒子を使用することが好ましい。着色粒子としては、金や白金等の金属微粒子、非金属粒子、ラテックス粒子等が挙げられる。
【００２３】
着色粒子は、試験片の空隙内を通って下流に輸送されることができるサイズであればいかなるサイズでもよいが、後の実施例で示すように、肺炎球菌のＬ７／Ｌ１２リボソームタンパク質を披検出物質とした場合、平均粒径が３５ｎｍ以上、１６０ｎｍ以下の金コロイドが好ましい。金コロイドの平均粒径は、より好ましくは、５５ｎｍ以上、１２５ｎｍ以下である。さらに好ましくは７５ｎｍ以上、１０５ｎｍ以下である。平均粒子径が３５ｎｍ以下になると、粒子同士が凝集して、クロマトグラフ媒体に使用した時に目詰まりを起こしてしまったり、クロマトグラフィー装置に使用した時に感度が出なかったりする。粒径は、大きい方が視認性に優れるが、大きすぎると金コロイド自体の色味が薄れ、またクロマトグラフフィー装置中で目詰まりを起こしてしまう懸念がある。イムノクロマトキットとしての感度を向上させるために、２種類以上の平均粒子径の不溶性担体を混合して用いてもよい。
【００２４】
本発明でいう粒子の平均粒子径とは、粒子を液体に分散した分散液を粒子径測定装置で測定することによって得たものを指す。粒子径測定装置には各種の測定原理を応用したものがあるが、本発明では、特に記載した場合を除き、動的光散乱法による粒子径測定装置を用いる。具体的には、Malvern社製の「ゼータサイザーナノZS」を用いた。ここで平均粒子径は、散乱光強度基準による調和平均粒子径(直径）の値であり、動的光散乱法による液体中の粒子径測定法は、JIS Z8826：2005 粒子径解析―光子相関法に定められる。
【００２５】
次に第１の抗体に着色粒子を結合する方法（標識化の方法）について述べる。
着色粒子による抗体の標識化の方法として、物理的な吸着による方法、共有結合による方法、それらの組合せによる方法等があげられる。製造の容易さの観点から、物理的な吸着による標識化方法が好ましい。即ち、所定の濃度に調製した着色粒子の分散液を準備し、緩衝液、抗体を加え、一定時間おくことで着色粒子に抗体を物理吸着させる。その後、さらにブロッキング剤を加え一定時間おくことで、粒子表面のブロッキングを行う。
ブロッキング剤としては、被検出物質や検体、又はそれを希釈する液の組成等に応じて様々な組成を用いることができるが、任意のバッファー組成液に、界面活性剤、糖、タンパク質、水溶性合成高分子等を溶解させたものが好ましい。
【００２６】
界面活性剤としては、Ｔｗｅｅｎ２０、ＴｒｉｔｏｎＸ１００、ＳＤＳ、Ｂｅｎｚａｌｋｏｎｉｕｍ  ｃｈｌｏｒｉｄｅ、Ｚｗｉｔｔｅｒｇｅｎｔ３−１２等が、糖としては、スクロース、トレハロース、デキストラン等、タンパク質としては、ＢＳＡ、カゼイン、スキムミルク、フィッシュゼラチン等、水溶性合成高分子としては、ポリビニルアルコールやポリエチレングリコール等があげられる。
【００２７】
抗体吸着及びブロッキング後の着色粒子分散液は、遠心分離を行い、上清を除いたのち、所定の分散液に懸濁して標識化抗体溶液とする。得られた標識化抗体溶液を保持部材に含浸せしめ、これを室温或いは凍結乾燥させて標識化抗体保持部材とできる。
【００２８】
標識化抗体保持部材に使用する材料は、ガラス繊維、ポリビニルアルコール（ＰＶＡ）繊維、ポリエステル繊維、セルロール系繊維等からなる繊維シート、又は前記繊維の混合物（例えば、ガラス繊維とＰＶＡ繊維との組み合わせ、セルロース系とガラスとの組み合わせ）からなる繊維シート等を用いることができ、ガラス繊維シートが好ましい。
【００２９】
繊維シートの性状は、目付（単位：ｇ／ｍ2）と厚みであらわされる。目付が低くかつ厚みが大きい場合、内部の空隙率が高くなり、標識化抗体溶液や試験液が保持されやすくなるが、空隙率が高すぎると、保持部材内での試験液の流れ性ならびに展開用部材への流れ性が悪化し、試験液が標識化抗体保持部材内に滞留するため、偽陽性が発生しやすくなる。一方、目付が高く、かつ厚みが小さい場合、内部の空隙率は低くなり、装置に供された試験液が吸収しづらくなり、試験液の流れ性が大幅に損なわれるか、もしくは試験液そのものが流れなくなってしまう。
【００３０】
また、保持部材の体積は、小さすぎると、製造工程において標識化抗体溶液を含浸させる工程の取扱いが難しくなる。大きすぎると試験液を保持しすぎてしまい、試験の迅速性を損なう。この観点から、長さは５ｍｍ以上であることが好ましく、６ｍｍ以上であることがより好ましく、８ｍｍ以上であることがさらに好ましい。また長さは、２０ｍｍ以下であることが好ましく、１７ｍｍ以下であることがより好ましく、１４ｍｍ以下であることがさらに好ましい。幅は、長さがいずれの場合であっても２ｍｍ以上であることが好ましく、３ｍｍ以上であることがより好ましく、４ｍｍ以上であることがさらに好ましい。また幅は、１０ｍｍ以下であることが好ましく、８ｍｍ以下であることがさらに好ましく、６ｍｍ以下であることがさらに好ましい。厚みは、長さ及び幅がいずれの場合であっても、０．０５ｍｍ以上であることが好ましく、０．１０ｍｍ以上であることがより好ましく、０．２０ｍｍ以上であることがさらに好ましい。また厚みは、１．２０ｍｍ以下であることが好ましく、０．８０ｍｍ以下であることがより好ましく、０．４０ｍｍ以下であることがより好ましい。
【００３１】
標識化抗体保持部材の流れ性を適切にするとの観点からは、目付を規定してもよい。目付は、上述の条件がいずれの場合であっても、３０ｇ／ｍ2以上とすることができ、４０ｇ／ｍ2以上であることが好ましく、４５ｇ／ｍ2以上であることがより好ましく、４９ｇ／ｍ2以上であることがさらに好ましい。また目付は、９０ｇ／ｍ2以下であることが好ましく、７５ｇ／ｍ2以下であることがより好ましく、６０ｇ／ｍ2以下であることがさらに好ましい。
【００３２】
（３）展開用部材について説明する。
展開用部材に使用する材料は、試験液を毛管現象により流すことができるもの、材質としては、試験液滴下部材もしくは標識抗体保持部材と同様のもの、中でも、ガラス繊維素材が好ましい。
本発明では展開用部材が、抗原抗体反応の主たる場を提供して反応時間を確保するとともに、試験液の流れ性の確保にも寄与すると推定している。即ち、試験液中に溶出された標識化抗体と試験液中に含まれる抗原とが抗原抗体反応により複合体を形成する反応が、試験液が展開用部材内を移動しながら進行するため、展開用部材の長さが長いことは反応時間が長いことを意味し、より多くの複合体形成に有利であると推定される。
一方、展開用部材が長すぎると、試験液が展開用部材内に滞留するため、偽陽性が発生しやすくなる。
【００３３】
以上のことから展開用部材は、長さは、８ｍｍ以上であることが好ましく、１０ｍｍ以上であることがより好ましく、１２ｍｍ以上であることがさらに好ましい。また長さは、２０ｍｍ以下であることが好ましく、１８ｍｍ以下であることがより好ましく、１６ｍｍ以下であることがさらに好ましい。幅は、長さがいずれの場合であっても２ｍｍ以上であることが好ましく、３ｍｍ以上であることがより好ましく、４ｍｍ以上であることがさらに好ましい。また幅は、１０ｍｍ以下であることが好ましく、８ｍｍ以下であることがさらに好ましく、６ｍｍ以下であることがさらに好ましい。厚みは、長さ及び幅がいずれの場合であっても、０．０５ｍｍ以上であることが好ましく、０．１０ｍｍ以上であることがより好ましく、０．２０ｍｍ以上であることがさらに好ましい。また厚みは、１．２０ｍｍ以下であることが好ましく、０．８０ｍｍ以下であることがより好ましく、０．４０ｍｍ以下であることがより好ましい。目付は、上述の条件がいずれの場合であっても、３０ｇ／ｍ2以上とすることができ、４０ｇ／ｍ2以上であることが好ましく、４５ｇ／ｍ2以上であることがより好ましく、４９ｇ／ｍ2以上であることがさらに好ましい。また目付は、９０ｇ／ｍ2以下であることが好ましく、７５ｇ／ｍ2以下であることがより好ましく、６０ｇ／ｍ2以下であることがさらに好ましい。
【００３４】
（４）被検出物質に対する第２の抗体を固定化した抗体固定化部材について説明する。
抗体固定化部材に使用する材料は、イムノクロマトグラフ法を行える物であれば特に限定されないが、好ましくは、ニトロセルロース、混合ニトロセルロースエステル、ポリビニリデンフロライド、ナイロン等である。好ましくは、ニトロセルロースである。
【００３５】
抗体固定化部材は、流れ性、すなわちキャピラリーフローレートが適切であるものを選択することが好ましい。キャピラリーフローレートとは、材料の一端に液体を添加した時の、液体の最前線が材料に沿って移動する速さをいう。抗体固定化部材に使用する材料は、毛管現象による試験液の移動を可能とする為に多孔質構造を有する。キャピラリーフローレートは、この多孔質構造の持つ、孔径、孔径分布、空隙率の影響を受ける。孔径が大きくなる、もしくは空隙率が増加すると、キャピラリーフローレートは増加する傾向にある。しかしながら、その値を正確に測定することは難しく、それは液体が材料中を進むに従って、その速さが指数関数的に減少するためである。このことから、測定がより容易なパラメータとして、キャピラリーフロータイムが用いられる。これは、純水が決められた長さの対象部材中を進み完全に濡れきった時間を示す値（秒／ｃｍ）である。これらは、メルクミリポア社発行の「ラテラルフローテストストリップ開発ガイド（TB500JA00）」に詳述されている。具体的には、キャピラリーフロータイム（秒／４ｃｍ）は次のように測定する：長さ４ｃｍ幅１ｃｍの対象部材を垂直方向に立て掛け、立て掛けると同時に、立て掛け場の底部に予め用意した純水に対象部材の下端を浸す。立て掛け（吸い上げ開始）から、純水が対象部材の上端に達するまでの時間を測定し、キャピラリーフロータイム（秒／４ｃｍ）とする。
【００３６】
試験液の流れ性が速すぎると、被検出物質と第２の抗体の十分な反応が行われず、検出感度の低下を招く。また試験液の流れ性が遅すぎると、試験液が抗体固定化部材内に滞留するため、偽陽性が発生しやすくなる。この観点からは、キャピラリーフロータイムは、６５秒／４ｃｍ以上であることが好ましく、８０秒／４ｃｍ以上であることがより好ましく、９５秒／４ｃｍ以上であることがさらに好ましい。またキャピラリーフロータイムは、２５０秒／４ｃｍ以下であることが好ましく、２００秒／４ｃｍ以下であることがより好ましく、１４５秒／４ｃｍ以下であることがさらに好ましい。
【００３７】
また、抗体固定化部材には、クロマト展開開始点側の末端から任意の距離離れた捕捉部位に被検出物質に対する第２の抗体が固定化されている。開始末端からの距離が増大するに従って、キャピラリーフローレートは低下することが知られている。このため、捕捉部位の位置が開始末端から近過ぎると、流れ性が速すぎ、被検出物質と第２の抗体の十分な反応が行われず、検出感度の低下を招く。また、捕捉部位の位置を開始末端から遠くするためには、抗体固定化部材の長さ自体を長くする必要があるが、長すぎると試験液の展開に時間がかかり、試験の迅速性が損なわれる。この観点から、抗体固定化部材の長さ（部材全体の長さ）は、１３ｍｍ以上であることが好ましく、１５ｍｍ以上であることがより好ましく、１７ｍｍ以上であることがさらに好ましい。また長さは、５０ｍｍ以下であることが好ましく、４０ｍｍ以下であることがより好ましく、３０ｍｍ以下であることがさらに好ましい。抗体固定化部材の幅を規定してもよく、幅は、長さがいずれの場合であっても２ｍｍ以上であることが好ましく、３ｍｍ以上であることがより好ましく、４ｍｍ以上であることがさらに好ましい。また幅は、１０ｍｍ以下であることが好ましく、８ｍｍ以下であることがさらに好ましく、６ｍｍ以下であることがさらに好ましい。
【００３８】
つづいて、抗体固定化部材の製造方法について説明する。
抗体固定化部材への抗体の固定化には、製造の容易さの観点から、物理的な吸着による固定化方法が好ましい。即ち、抗体を含有する溶液を固定化部材の捕捉部位にライン状に塗布した後、乾燥させることで、第２の抗体を部材上に固定化することができる。
【００３９】
その後、固定化部材をブロッキング剤に浸すことでブロッキングをしても良い。ブロッキング剤としては、被検出物質や検体、又はそれを希釈する液の組成等に応じて様々な組成を用いることができるが、任意のバッファー組成液に、界面活性剤、糖、タンパク質、水溶性合成高分子等を溶解させたものが好ましい。
【００４０】
界面活性剤としては、Ｔｗｅｅｎ２０、ＴｒｉｔｏｎＸ１００、ＳＤＳ、Ｂｅｎｚａｌｋｏｎｉｕｍ  ｃｈｌｏｒｉｄｅ、Ｚｗｉｔｔｅｒｇｅｎｔ３−１２等が、糖としては、スクロース、トレハロース、デキストラン等、タンパク質としては、ＢＳＡ、カゼイン、スキムミルク、フィッシュゼラチン等、水溶性合成高分子としては、ポリビニルアルコールやポリエチレングリコール等があげられる。
【００４１】
（５）吸収部材について説明する。
吸収部材は抗体固定化部材展開後の試験液を吸収する役割を持ち、使用する材料は、イムノクロマトグラフ法を行える物であれば特に限定されないが、好ましくは、セルロース濾紙等があげられる。
吸収部材の吸水容量が小さいと、試験液を吸収する力が弱くなり、上流側の部材で試験液の停滞を招き、偽陽性が発生しやすくなる。試験装置全体の流れ性の確保の点から、長さは、１６ｍｍ以上であることが好ましく、１８ｍｍ以上であることがより好ましく、２０ｍｍ以上であることがさらに好ましい。また長さは、２８ｍｍ以下であることが好ましく、２６ｍｍ以下であることがより好ましく、２４ｍｍ以下であることがさらに好ましい。幅は、長さがいずれの場合であっても２ｍｍ以上であることが好ましく、３ｍｍ以上であることがより好ましく、４ｍｍ以上であることがさらに好ましい。また幅は、１０ｍｍ以下であることが好ましく、８ｍｍ以下であることがさらに好ましく、６ｍｍ以下であることがさらに好ましい。厚みは、長さ及び幅がいずれの場合であっても、０．５０ｍｍ以上であることが好ましく、１．００ｍｍ以上であることがより好ましく、１．０ｍｍ以上であることがさらに好ましい。また厚みは、４．００ｍｍ以下であることが好ましく、３．００ｍｍ以下であることがより好ましく、２．００ｍｍ以下であることがより好ましい。吸水容量は、９０ｍｇ／ｃｍ2以上であることが好ましく、１５０ｍｇ／ｃｍ2以上であることがより好ましく、２００ｍｇ／ｃｍ2以上であることがさらに好ましい。
【００４２】
以上、本発明のイムノクロマトグラフィー試験装置を構成する各部材の材質、規格等について説明した。本発明のイムノクロマトグラフィー試験装置では、各部材の配置方法についても特定の条件を満足することが重要であるため以下に各部材の配置方法について説明する。
【００４３】
［（１）試験液滴下部材と、（２）標識化抗体保持部材の配置方法］
（１）試験液滴下部材と、（２）標識化抗体保持部材の重なりは、少なくとも液が連通する長さであり、確実に重なりを得るための製造上の観点から、好ましくは１ｍｍ以上である。
【００４４】
［（２）標識化抗体保持部材、（３）展開用部材、及び（４）抗体固定化部材の配置方法］
標識抗体保持部材と展開用部材の直接的な重なりの長さ（Ｌ２）は、他の要件の範囲から自然と制限される範囲内であれば、特に限定されないが、０．５ｍｍ以上とすることができ、１．０ｍｍ以上とすることが好ましく、１．８ｍｍ以上とすることがより好ましい。またＬ２は、１２．０ｍｍ以下とすることができ、１０．０ｍｍ以下とすることが好ましく、９．５ｍｍ以下とすることがより好ましい。
【００４５】
そして、展開用部材と抗体固定化部材の直接的な重なりの長さ（Ｌ３）は、少なくとも液が連通する長さであり、確実に重なりを得るための製造上の観点から、０．５ｍｍ以上とすることが好ましく、１．０ｍｍ以上とすることがより好ましく、１．８ｍｍ以上とすることがさらに好ましい。またＬ３は、４．０ｍｍ以下とすることが好ましく、３．５ｍｍ以下とすることがより好ましく、３．０ｍｍ以下とすることがさらに好ましい。
【００４６】
また標識化抗体保持部材の下流端と抗体固定化部材の上流端の距離（Ｌ１）、すなわち、標識化抗体保持部材と抗体固定化部材が直接的間接的に重なり合わない距離（Ｌ１）は、２ｍｍ以上とすることが好ましく、６ｍｍ以上とすることがより好ましく、８ｍｍ以上とすることがさらに好ましい。またＬ１は、１２ｍｍ以下とすることが好ましい。該距離が短いと、十分な反応時間が確保できず、十分なシグナル向上効果が得られない。該距離が長いと、その分、標識化抗体保持部材が長くなるために試験液を保持しすぎてしまい、試験の迅速性を損なう。
【００４７】
また、標識化抗体保持部材と展開用部材が直接的に重なり合う距離（Ｌ２）と（Ｌ１）との比（Ｌ２／Ｌ１）が、０．１≦Ｌ２／Ｌ１≦３．０であると好ましく、０．１５≦Ｌ２／Ｌ１≦１．０であるとより好ましく、０．２≦Ｌ２／Ｌ１≦１．５であるとさらに好ましい。また展開用部材と抗体固定化部材が直接的に重なり合う距離（Ｌ３）と（Ｌ１）との比（Ｌ３／Ｌ１）は、０．１≦Ｌ２／Ｌ１≦３．０であると好ましく、０．１５≦Ｌ２／Ｌ１≦１．０であるとより好ましく、０．２≦Ｌ２／Ｌ１≦１．５であるとさらに好ましい。
【００４８】
また、展開用部材の厚み（Ｔ１）と展開用部材の上記（Ｌ１）との比（Ｔ１／Ｌ１）は０．０１８≦Ｔ１／Ｌ１≦０．１５０であると好ましく、０．０２０≦Ｔ１／Ｌ１≦０．０７０であるとより好ましく、０．０２０≦Ｔ１／Ｌ１≦０．０５０であるとさらに好ましい。
【００４９】
［（４）抗体固定化部材と、（５）吸収部材の配置方法］
（４）抗体固定化部材と、（５）吸収部材の重なりは、少なくとも液が連通する長さであり、確実に重なりを得るための製造上の観点から、好ましくは１ｍｍ以上、３ｍｍ以下である。
【００５０】
以上、各部材同士の配置等の関係について説明した。
本発明では、各構成部材を基材上で張り合わせたもの（イムノクロマト試験片）をそのまま使用してイムノクロマトグラフィー試験装置としてもよいし、ケースに収納してイムノクロマトグラフィー試験装置としても良い。
【００５１】
基材は、各部材の配置位置を固定し部材間の連結を確かなものとする役割を持ち、材質は、表面に粘着層を有したプラスチック、紙等、種々の材質のものを用いることができる。また、粘着層は試験実施に使用される全ての試薬に妨害を与えないものから選択することができる。表面に粘着剤が付いた長さ６．０以上、９．０ｃｍ以下、幅３ｍｍ以上、７ｍｍ以下、厚み２００μｍ以上、３００μｍ以下のポリスチレンシートが好ましい。
【００５２】
イムノクロマト試験片の長さ及び幅は、検体、目的に応じて適宜決定することができるが、イムノクロマト試験片の幅は、広過ぎるとその分試験液を余分に必要とし、狭すぎると、ラインの判定に支障をきたすことから、その幅は、３ｍｍ以上８ｍｍ以下が好ましい。イムノクロマト試験片の長さは、長すぎると試験液の展開に時間がかかり、試験の迅速性が損なわれる。また、短過ぎると、イムノクロマトグラフ法における反応と分離が十分行われず、検出感度の低下を招くことから、好ましくは、４ｃｍ以上、１５ｃｍ以下である。
【００５３】
［キット］
本発明は、イムノクロマトグラフィー試験装置を含むキットを提供する。キットは、イムノクロマトグラフィー装置以外に、試験液（希釈液又は抽出液）、検体を採取するための用具、例えば綿棒、及び／又は吸引カテーテルを含んでいてもよい。
【００５４】
（試験液）
試験液について説明する。
本発明は上記した試験装置を用いて被検出物質（細胞内抗原）を検出するが、被検出物質が含まれる試験液は、検体と希釈液とを任意の比率にて混合することで試験液とすることができる。検体としては、尿、血液、血清、血漿、上気道検体（例えば、咽頭ぬぐい液、鼻咽腔ぬぐい液、鼻腔吸引液、唾液、喀痰等）を用いうる。また、患部を擦過した綿棒等の採取具から抽出液にて被検出物質を抽出し、試験装置に提供する試験液とすることもできる。その他、抽出操作後に希釈液を加えても良い。
【００５５】
試験液の組成は、イムノクロマトグラフィー試験装置内の各部材中を毛管現象により移動する速度に影響する。一般に移動速度が速いと、試験完了までの時間は短縮されるが、検出シグナルは低くなる傾向にある。一方、移動速度が遅いと、検出シグナルが高くなる傾向にあるが、遅すぎる場合は、試験液の滞留による偽陽性化を招く恐れがある。
【００５６】
この点を踏まえた本発明者らの検討によると、抽出液もしくは希釈液には、任意のバッファー組成液に、界面活性剤、糖、タンパク質、水溶性合成高分子等を溶解させたものを用いるのが好ましい。任意のバッファー組成液とは、検体のｐＨが抗原抗体反応の反応性に影響を与える要因となりうるため、検体を希釈するための液は、ｐＨが５．５以上であり、かつ８．５以下となるように緩衝されていることが好ましい。緩衝作用を持たせるためには、検体の希釈液は、各種グッドバッファー等の緩衝液を含むことが好ましい。また、抗原抗体反応への影響の点から言えば、イオン強度を調整する目的で、塩を添加しても良い。緩衝液の選択、イオン強度の調整は、当業者であれば、適宜設計できる。
【００５７】
界面活性剤としては、Ｔｗｅｅｎ２０、ＴｒｉｔｏｎＸ１００、ＳＤＳ、Ｂｅｎｚａｌｋｏｎｉｕｍ  ｃｈｌｏｒｉｄｅ、Ｚｗｉｔｔｅｒｇｅｎｔ３−１２等があげられる。界面活性剤の濃度の下限は、試験液の流れ性を確保するために、検体と混合した場合の終濃度が０．０３％以上となるようにすることができ、好ましくは０．０５％以上であり、より好ましくは０．０７５％以上であり、特に好ましくは０．１％以上である。また界面活性剤の濃度の上限値は、抗原抗体反応を著しく阻害しない程度であればよく、いずれの場合であっても、１０％以下とすることができ、好ましくは７．５％以下であり、より好ましくは５％以下であり、特に好ましくは３％以下である。糖としては、スクロース、トレハロース、デキストラン等、タンパク質としては、ＢＳＡ、カゼイン、スキムミルク、フィッシュゼラチン等、水溶性合成高分子としては、ポリビニルアルコールやポリエチレングリコール等があげられる。糖、タンパク質、水溶性高分子等から選択される溶解物の濃度は、それらの合計が、検体と混合した場合の終濃度が０．０３％以上となるようにすることができ、好ましくは０．０５％以上であり、より好ましくは０．０７５％以上であり、特に好ましくは０．１％以上である。また上限値は、液の流れ性、抗原抗体反応を著しく阻害しない程度であればよく、いずれの場合であっても、１５％以下とすることができ、好ましくは１０％以下であり、より好ましくは８％以下であり、特に好ましくは５％以下である。
【実施例】
【００５８】
以下の実施例により本発明をさらに説明するが、本発明は実施例によって限定されるものではない。
［１：イムノクロマトグラフィー試験装置における各部材の寸法と重なりの検討］
イムノクロマトグラフィー試験装置を以下のように作製し、各部材の寸法と重なりの検討を行った。
（１）イムノクロマトグラフィー試験装置の作製
（ａ）標識された抗体を保持した部材の作製
金コロイド標識するＳｔｒｅｐｔｏｃｏｃｃｕｓ  ｐｎｅｕｍｏｎｉａｅリボソーム蛋白質Ｌ７／Ｌ１２抗体にはＲＥＡＭＳＰ−８株由来のモノクローナル抗体を使用した。
田中貴金属社製金コロイド溶液（粒径８０ｎｍ。Ｍａｌｖｅｒｎ社製ゼータナノサイザーナノＺＳを用いて測定した３回の値の平均値が規格値８０．０±４．０のもの）０．９ｍＬに０．１Ｍ  ＣＨＥＳ  ｂｕｆｆｅｒ  ｐＨ９．０を混合し、金コロイド標識する抗ＲＥＡＭＳＰ−８リボソーム蛋白質Ｌ７／Ｌ１２抗体８０μｇ／ｍＬを加え室温で１０分間静置し、この抗体を金コロイド粒子表面に結合させた後、金コロイド溶液における最終濃度が０．１％となるようにカゼイン１％水溶液を加え、この金コロイド粒子の残余の表面をカゼインでブロッキングして、金コロイド標識抗リボソーム蛋白質Ｌ７／Ｌ１２抗体（以下、「金コロイド標識抗体」と記す）溶液を調製した。この溶液を遠心分離（１５０００×ｒｐｍ、５分間）して金コロイド標識抗体を沈殿せしめ、上清液を除いて金コロイド標識抗体を得た。この金コロイド標識抗体を０．２５％カゼイン、２．５％スクロースを含有する２０ｍｍトリス塩酸緩衝液（ｐＨ８．２）に懸濁して金コロイド標識抗体溶液を得た。
１０ｍｍ×１５０ｍｍの帯状のガラス繊維シート＃８９７５（ポール社製、目付４９ｇ／ｍ2）に、金コロイド標識抗体溶液０．６３ｍＬを含浸せしめ、これを室温で減圧乾燥させて金コロイド標識抗体保持部材とした。
【００５９】
（ｂ）抗体固定化部材の作製
幅２５ｍｍ、長さ３００ｍｍのニトロセルロース膜ＵｎｉＳａｒｔ  ＣＮ９５  （ザルトリウス社製、キャピラリーフロータイム１００秒／４ｃｍ）を抗体固定化部材の原料として用意した。
ＲＥＡＭＳＰ−５株由来のＳｔｒｅｐｔｏｃｏｃｃｕｓ  ｐｎｅｕｍｏｎｉａｅリボソーム蛋白質Ｌ７／Ｌ１２  モノクローナル抗体  ２．０ｍｇ／ｍＬが含有されてなる溶液を、この抗体固定化部材におけるクロマト展開開始点側の末端から１０ｍｍの位置に１μＬ／ｃｍでライン状に塗布して、これを５０℃で６０分間乾燥し、その後、０．１％カゼイン溶液に浸し、一晩室温で乾燥させた。Ｓｔｒｅｐｔｏｃｏｃｃｕｓ  ｐｎｅｕｍｏｎｉａｅリボソーム蛋白質  Ｌ７／Ｌ１２抗原と金コロイド標識抗体との複合体の捕捉部位７とした。
【００６０】
（ｃ）イムノクロマトグラフィー試験装置の組み立て
上記抗体固定化部材、上記標識抗体保持部材の他に、試験液滴下部材として再生セルロース不織布ＵＲ６０１（旭化成せんい製）と、展開用部材としてガラス繊維シート＃８９７５（ポール社製）、吸収部材としてセルロース濾紙ＣＦ７（ＧＥヘルスケア社製）を用意した。そして、これらの部材を基材ＡＲｃａｒｅ９０２０（Ａｄｈｅｓｉｖｅｓ  Ｒｅｓｅａｒｃｈ，  Ｉｎｃ．製）に貼り合せた後、５ｍｍ幅に切断し、図２と同様のイムノクロマトグラフィー試験装置を作製した。
また比較のため、展開用部材を用いない一般的なイムノクロマトグラフィー試験装置として、図１と同様のイムノクロマトグラフィー試験装置を作製した。
【００６１】
（２）試験方法
イムノクロマトグラフィー試験は、抗原として、肺炎球菌（約１×１０5  ＣＦＵ／ｍｌ）をＰＢＳ  にて１０倍に希釈した模擬サンプルを用意し、検体希釈液（ＴｒｉｔｏｎＸ−１００  ０．５％、０．２５％カゼイン、０．５％デキストラン、ＮａＣｌ  ０．２Ｍ）と１：１混合したものを試験液とした。ここでＣＦＵとは、Ｃｏｌｏｎｙ  Ｆｏｒｍｉｎｇ  Ｕｎｉｔ：コロニー形成単位を示し、対象試料中の生きた細胞数を示す。
【００６２】
そして、同試験液１２０μｌを上記（１）で得られたイムノクロマトグラフィー試験装置の試験液滴下部材５にマイクロピペットで滴下してイムノクロマトグラフィー試験を開始し、室温で３０分経過後、上記捕捉部位７で捕捉されたリボソーム蛋白質  Ｌ７／Ｌ１２抗原と金コロイド標識抗体との複合体の捕捉の有無を捕捉量に比例して増減する赤紫色ラインの濃さにより判定した。
テストライン強度は、赤紫色ラインが薄いものから濃いものまでを「＋」から「７＋」として、半定量的に評価した。
また抗原を含まない試料における試験でもテストラインの発色が見られた場合、偽陽性ありとした。
【００６３】
（試験１）
試験液滴下部材の長さ、展開用部材の長さ、Ｌ２、Ｌ１の組み合わせを変えた時のイムノクロマトグラフィー試験結果を表１に示す。
【００６４】
標識化抗体保持部材と抗体固定化部材が直接的間接的に重なり合わない距離（Ｌ１）が、
２ｍｍ以上１２ｍｍ以下で効果が得られ、８ｍｍ以上１２ｍｍ以下でより高い効果が得られた。
【００６５】
これは、標識された第１の標識化抗体が試験液中に溶出した後、試験液中に含まれる抗原と抗原抗体反応する際に、試験液が展開用部材中を移動しながら抗原抗体反応が進行する事で、展開用部材の長さに比例して反応時間が長くもたらされ、その結果、抗原と第１の抗体とが十分な量の複合体を形成でき、これらが逐次抗体固定化部材の捕捉部位に移動した際に、固定化されている第２の抗体に捕捉され、判定時に高い検出シグナルを得ることができた。このことは、Ｌ１が長くなるとともに、テストライン強度が高まることと一致する。
一方、Ｌ１が１４ｍｍ以上の場合、抗原を含まない試料を用いた試験において、試験液の滞留が原因の偽陽性がみられた。
また、展開用部材と標識化抗体保持部材とが直接的に重なり合う部分の長さ（Ｌ２）は、２ｍｍ以上、９ｍｍ以下の範囲で同様の効果を示した。
【００６６】
【表１】
0006754618.tif 000002
【００６７】
［２：イムノクロマトグラフィー試験装置における各部材の材料の検討］
イムノクロマトグラフィー試験装置を以下のように作製し、各部材の材料の検討を行った。
（１）イムノクロマトグラフィー試験装置の作製
各部材の材料を変更する以外は実施例１と同様の方法でイムノクロマトグラフィー試験装置を作製した。また、各部材の長さと重なりの配置は以下に統一した。
試験液滴下部材の長さ１４ｍｍ
標識化抗体保持部材の長さ１０ｍｍ
展開用部材の長さ１４ｍｍ
Ｌ２＝２ｍｍ、Ｌ３＝２ｍｍ、Ｌ１＝１０ｍｍ
【００６８】
（２）試験方法
イムノクロマトグラフィー試験は、［１］と同様の方法で行った。
【００６９】
（試験２）
展開用部材を変えたときのイムノクロマトグラフィー試験結果を表２に示す。
【００７０】
展開用部材の厚みが０．２８ｍｍ以上、０．４４ｍｍ以下、目付が４９ｇ／ｍ2以上、７５ｇ／ｍ2以下の範囲で効果を示した。
【００７１】
【表２】
0006754618.tif 000003
【００７２】
（試験３）
抗体固定化部材を変えたときのイムノクロマトグラフィー試験結果を表３に示す。
【００７３】
キャピラリーフロータイム１００秒／４ｃｍ以上、１４０秒／４ｃｍ以下の範囲で効果を示した。
【００７４】
【表３】
0006754618.tif 000004
【００７５】
［３：イムノクロマトグラフィー試験装置における金コロイド粒径検討］
イムノクロマトグラフィー試験装置を以下のように作製し、金コロイド粒径の検討を行った。
（１）イムノクロマトグラフィー試験装置の作製
標識に用いる金コロイドの粒径を変更する以外は実施例１と同様の方法でイムノクロマトグラフィー試験装置を作製した。また、各部材の長さと重なりの配置は以下に統一した。
試験液滴下部材の長さ１４ｍｍ
標識化抗体保持部材の長さ１０ｍｍ
展開用部材の長さ１４ｍｍ
Ｌ２＝２ｍｍ、Ｌ３＝２ｍｍ、Ｌ１＝１０ｍｍ
【００７６】
（２）試験方法
イムノクロマトグラフィー試験は、抗原として、肺炎球菌（約１×１０5  ＣＦＵ／ｍｌ）をＰＢＳ  にて段階的に希釈した模擬サンプルを用意し、検体希釈液（ＴｒｉｔｏｎＸ−１００  ０．５％、０．２５％カゼイン、０．５％デキストラン、ＮａＣｌ  ０．２Ｍ）と１：１混合したものを試験液とした。抗原濃度は、８×１０3  ＣＦＵ／ｍｌ、４×１０3  ＣＦＵ／ｍｌ、２×１０3  ＣＦＵ／ｍｌ、１×１０3  ＣＦＵ／ｍｌのそれぞれで試験を行った。
【００７７】
そして、同試験液１２０μｌを上記（１）で得られたイムノクロマトグラフィー試験装置の試験液滴下部材５にマイクロピペットで滴下してイムノクロマトグラフィー試験を開始し、室温で１５分経過後、上記捕捉部位７で捕捉されたリボソーム蛋白質  Ｌ７／Ｌ１２抗原と金コロイド標識抗体との複合体の捕捉の有無を判定ラインが認められるか否かにより判定した。
【００７８】
（試験４）
標識に用いる金コロイドの粒径を変えたときのイムノクロマトグラフィー試験結果を表４に示す。
【００７９】
異なる粒径の金コロイド間では色味が変わるため、テストラインの強度の比較ではなく、抗原量を段階的に下げた際の検出限界により評価を行ったところ、８０ｎｍと１００ｎｍ（８０ｎｍのものと同様、Ｍａｌｖｅｒｎ社製ゼータナノサイザーナノＺＳを用いて、測定した３回の値の平均値が規格値１００．０±５．０のもの）の粒径では、同等の最低検出感度を示した。
【００８０】
【表４】
0006754618.tif 000005
【産業上の利用可能性】
【００８１】
本発明のイムノクロマトグラフィー試験装置を用いることで、高い検出感度でもって結果を得ることができる。
【符号の説明】
【００８２】
１．試験液滴下部材
２．標識抗体保持部材
３．展開用部材
４．抗体固定化部材
５．吸収部材
６．基材
７．捕捉部位
【図１】
0006754618.tif 000006
【図２】
0006754618.tif 000007